(57)【要約】【課題】  凝縮ダクトの内部を通過する空気中に内包された水分を冷却水を通じて凝縮させることによって洗濯物の乾燥効率を向上させることができるドラム洗濯機を提供する。【解決手段】  本発明によるドラム洗濯機は、ドラム２０と、ドラム２０と連通設置され、ドラム２０の内部から空気が流入される凝縮ダクト３０と、凝縮ダクト３０の内部に設置され、凝縮ダクト３０の下側から上側に冷却水を噴射させる冷却水噴射部材４０とを含んで構成される。これによって、高温多湿な空気及び冷却水が接触される時間が相対的に増加することにより凝縮効率を向上させることができ、乾燥時間を短縮させることができる。【選択図】      図５
2006006928.tif 000002
【特許請求の範囲】
【請求項１】
ドラムと、
前記ドラムと連通設置され、前記ドラムの内部から空気が流入される凝縮ダクトと、
前記凝縮ダクトの内部に設置され、前記凝縮ダクトの下側から上側に冷却水を噴射させる冷却水噴射部材とを含むことを特徴とするドラム洗濯機。
【請求項２】
前記冷却水噴射部材は、冷却水が前記凝縮ダクトの上側に一定の高さ上昇した後、下降することができる程度の噴射力を有することを特徴とする請求項１に記載のドラム洗濯機。
【請求項３】
前記冷却水噴射部材は噴射ノズルを含むことを特徴とする請求項１及び２に記載のドラム洗濯機。
【請求項４】
前記冷却水噴射部材の上側に位置し、前記凝縮ダクトの内壁面に突出形成されるＶ形状の凝縮ガイドをさらに含むことを特徴とする請求項１に記載のドラム洗濯機。
【請求項５】
前記冷却水噴射部材の上側に位置し、前記凝縮ダクトの内壁面に突出形成されるＶ形状の凝縮ガイドをさらに含むことを特徴とする請求項２に記載のドラム洗濯機。
【発明の詳細な説明】
【技術分野】
【０００１】
本発明はドラム洗濯機に係わり、より詳しくは、凝縮ダクトの内部を通過する空気中に内包された水分を冷却水を通じて凝縮させることによって洗濯物の乾燥効率を向上させることができるドラム洗濯機に関する。
【背景技術】
【０００２】
一般に、ドラム洗濯機は少量の水を使用し洗濯槽を３６０°回転させて洗濯物を上から下に落とす衝撃で洗濯を行う洗濯機の一種であり、洗濯だけでなく、すすぎ、脱水及び乾燥などのような多様な機能を備えている。
【０００３】
特に、ドラム洗濯機の乾燥機能によれば、ヒーターによって加熱された空気をドラムの内部に供給して洗濯物を加熱させ、洗濯物の加熱過程で発生した高温多湿な空気は乾燥効率を高めるために凝縮過程を経る。
【０００４】
従来のドラム洗濯機は図１に示されているように、ドラム１と、ドラム１の上部に設置される送風ファン２及び送風ファンダクト３と、ドラム１及び送風ファンダクト３を連結する凝縮ダクト４と、凝縮ダクト４の内部上側に設置される噴射ノズル５と、噴射ノズル５に冷却水を供給する冷却水供給管６とを含んで構成される。このようなドラム洗濯機ではドラム１下部の空気排出口１ａを通じて乾燥過程を経た高温多湿な空気が凝縮ダクト４内部に流入される。このように流入された高温多湿な空気は凝縮ダクト４を通過して送風ファンダクト３に流入される過程で噴射ノズル５を通じて上方から下方に噴射される冷却水と接触し、これによって空気中に内包された水分が凝縮される。
【発明の開示】
【発明が解決しようとする課題】
【０００５】
しかし、このような従来のドラム洗濯機は凝縮ダクト４の内部に設置された噴射ノズル５を通じて上方から下方に冷却水を噴射させる構造を有するため、凝縮ダクト４を通過する高温多湿な空気及び冷却水の接触区間が相対的に短くて凝縮効率を高めることに限界がある。
【０００６】
これを克服するためには冷却水の使用量を増加させるか、あるいは凝縮効率を高めるための別途の凝縮手段を使用しなければならないという問題点がある。
【０００７】
本発明は、前記のような問題を解決するため、冷却水噴射部材の噴射方向を変更することによって、凝縮効率を向上させることができるドラム洗濯機を提供することを目的とする。
【課題を解決するための手段】
【０００８】
このような目的を達成するために本発明は、ドラムと、前記ドラムと連通設置され、前記ドラムの内部から空気が流入される凝縮ダクトと、前記凝縮ダクトの内部に設置され、前記凝縮ダクトの下側から上側に冷却水を噴射させる冷却水噴射部材とを含んで構成されることに特徴がある。
【０００９】
前記冷却水噴射部材は、冷却水が前記凝縮ダクトの上側に一定の高さ上昇した後、下降することができる程度の噴射力を有するのが好ましい。前記冷却水噴射部材は噴射ノズルを含むのが好ましい。前記冷却水噴射部材の上側に位置し、前記凝縮ダクトの内壁面に突出形成されるＶ形状の凝縮ガイドをさらに含むことができる。
【発明の効果】
【００１０】
本発明によるドラム洗濯機は、凝縮ダクトの内部の空気と冷却水とが接触される時間を増加することによって凝縮効率を増大することができ、乾燥時間を短縮することができる。
【００１１】
また、凝縮水分噴射部材の冷却水噴射方向を変更させることによって、簡単な構造やコストダウンをすることができる。
【発明を実施するための最良の形態】
【００１２】
以下、添付図面を参照して本発明の好ましい実施形態を説明する。
【００１３】
図２及び図３に示されているように、本発明によるドラム洗濯機は、本体１０と、本体１０の内部に設置され、洗濯物が水に浸される円筒形のドラム２０と、ドラム２０の内部に回転可能に設置され、壁面に脱水孔が形成されている円筒形の洗濯槽２２と、ドラム２０の下部に設けられて、洗濯槽２２を正方向または逆方向に回転させて洗濯物の洗濯、すすぎ及び脱水動作を遂行できるようにする駆動モータ２３と、本体１０の前方に開閉可能に設置されるドア２４とを含んで構成される。
【００１４】
ドラム２０の上部には、ドラム２０の内部に洗濯水を供給すると共に給水過程で洗剤を溶解させることができるようにする給水弁２５、給水管２６、洗剤溶解ユニット２７などのような給水ユニットが設けられている。
【００１５】
また、ドラム２０の上部には、洗濯物の脱水動作が完了した後、洗濯物を乾燥させるための乾燥ユニットが設けられている。乾燥ユニットはドラム２０の上部に設置される送風ファン７０及び送風ファンダクト７２と、送風ファンダクト７２及びドラム２０の空気流入口２１ａに連通設置される吐出ダクト８０と、吐出ダクト８０の内部に設置されるヒーター６０と、ドラム２０の空気排出口２１ｂ及び送風ファンダクト７２に連通設置される凝縮ダクト３０と、凝縮ダクト３０の内部に設置され、冷却水を噴射する冷却水噴射部材４０と、冷却水噴射部材４０と連結され、冷却水噴射部材４０に冷却水を供給する冷却水供給管４２とを含む。
【００１６】
これによって、送風ファン７０の動作によって送風される空気が吐出ダクト８０を通過しながらヒーター６０によって加熱された後、空気流入口２１ｂを通じてドラム２０の内部に供給されることによって洗濯物を加熱乾燥させることができる。洗濯物の乾燥過程で発生した高温多湿な空気はドラム２０の空気排出口２１ｂを通じて凝縮ダクト３０の内部に流入され、凝縮ダクト３０内部に流入された高温多湿な空気は凝縮ダクト３０を通過して送風ファンダクト７２に流入される過程で冷却水噴射部材４０を通じて上方から下方に噴射される冷却水によって内包された水分が凝縮される。
【００１７】
凝縮ダクト３０の内部には凝縮効率を向上させるための凝縮ガイド５０が設置されている。凝縮ガイド５０の形状及び設置位置は必要に応じて多様に変更可能である。
【００１８】
ドラム２０の下部には、ドラム２０の内部の洗濯水を配水させるための排水管２８及び配水ポンプ２９などのような配水ユニットが設けられている。
【００１９】
図４及び図５に示されているように、凝縮ダクト３０はドラム２０の空気排出口２１ｂ及び送風ファンダクト７２の空気流入口７３と連通設置され、ドラム２０の内部での乾燥過程によって発生した高温多湿な空気が流入される。
【００２０】
冷却水噴射部材４０は凝縮ダクト３０の内部に設置され、凝縮ダクト３０の下側方向から上側方向に冷却水を噴射させて凝縮ダクト３０を通過する空気中に内包された水分を凝縮させる役割を果たす。つまり、冷却水供給管４２を通じて供給される冷却水が冷却水噴射部材４０によって凝縮ダクト３０の下側から上側に噴射され、冷却水噴射部材４０を通じて噴射されて上昇する冷却水は一定の高さに至った後に再び下降することによって高温多湿な空気中に内包された水分を凝縮させる。
【００２１】
このように冷却水噴射部材４０の冷却水噴射方向を下方から上方に変更させることによって冷却水の上昇及び下降時に高温多湿な空気と接触する。したがって、高温多湿な空気と冷却水が接触する時間が相対的に増加して凝縮効率を向上させることができる。
【００２２】
冷却水噴射部材４０は冷却水が凝縮ダクト３０の上方に一定の高さ上昇した後、自由落下によって下降することができる程度の噴射力を有する。凝縮ダクト３０の内部には凝縮ダクト３０の内壁面に突出形成される複数の凝縮ガイド５０が設けられている。凝縮ガイド５０は冷却水と空気の接触率を高めて凝縮効率を向上させることができるようにするためのものであり、その形状及び設置位置は必要に応じて多様に変更可能である。
【００２３】
特に、凝縮ダクト３０の上側に位置するＶ形状の凝縮ガイド５０は、冷却水を大きな水滴に作って冷却水が逆流することを防止するので、一字形凝縮ガイドに比べて乾燥効率を増大させる効果を有する。
【００２４】
冷却水噴射部材４０は冷却水を均等に噴射させることができる噴射ノズルを含むのが好ましいが、他の公知の手段を適用することもできる。
【００２５】
凝縮ダクト３０はドラム２０の下部に形成される空気排出口２１ｂとドラム２０の上部に設置される送風ファンダクト７２とを相互連結する空気流路を有し、所定の曲率に曲がって開放された一面がドラム２０の後面と送風ファンダクト７２に密着結合される。
【００２６】
以上で説明したドラム洗濯機の凝縮過程を簡単に説明すると、下記の通りである。
【００２７】
まず、冷却水供給管４２を通じて供給される冷却水が冷却水噴射部材４０によって凝縮ダクト３０の下側から上側に噴射され、冷却水噴射部材４０を通じて噴射されて上昇する冷却水は一定の高さに至った後、再び下降することによって高温多湿な空気中に内包された水分を凝縮させる。
【図面の簡単な説明】
【００２８】
【図１】従来のドラム洗濯機の凝縮ダクト及び冷却水噴射部材の設置状態を示した斜視図である。
【図２】本発明によるドラム洗濯機を示した斜視図である。
【図３】本発明によるドラム洗濯機を示した断面図である。
【図４】本発明によるドラム洗濯機の凝縮ダクト及び冷却水噴射部材の設置状態を示した斜視図である。
【図５】本発明によるドラム洗濯機の凝縮ダクト及び冷却水噴射部材を示した構成図である。
【符号の説明】
【００２９】
１０    本体
２０    ドラム
２１ａ  空気流入口
２１ｂ  空気排出口
２２    洗濯槽
２３    駆動モータ
２４    ドア
２５    給水バルブ
２６    給水管
２７    洗剤溶解ユニット
２８    排水管
２９    排水ポンプ
３０    凝縮ダクト
４０    冷却水噴射部材
４２    冷却水供給管
５０    凝縮ガイド
６０    ヒーター
７０    送風ファン
７２    送風ファンダクト
７３    空気流入口
８０    吐出ダクト
【図１】
2006006928.tif 000003
【図２】
2006006928.tif 000004
【図３】
2006006928.tif 000005
【図４】
2006006928.tif 000006
【図５】
2006006928.tif 000007